(57)【特許請求の範囲】
【請求項１】
長尺の鋼材を仮置きするために山積みにしたはい山上で、作業をする際の転落および墜落災害を防止するために作業者の安全帯を繋ぐ移動式墜落防止治具であって、はい山に積んである鋼材と同種の鋼材からなる治具土台と、前記治具土台の両端部に設けた親綱支柱と、前記親綱支柱間に前記治具土台と平行に掛け渡した親綱鋼材とからなり、前記鋼材を積み上げるタイミングで同時に前記鋼材を積み上げる手段と同様の手段で移動させることができ、前記親綱鋼材に、はい山上で作業する作業者の安全帯を繋ぎ、はい山上で移動しながら作業をすることができるようにしたことを特徴とする移動式墜落防止治具。
【請求項２】
前記治具土台に、はい山に積んである鋼材に固定するための固定金具が設けてあることを特徴とする請求項１記載の移動式墜落防止治具。
【請求項３】
前記治具土台が、Ｕ型鋼矢板であり、前記Ｕ型鋼矢板を複数重ね合わせて一体化してなることを特徴とする請求項２記載の移動式墜落防止治具。
【請求項４】
前記治具土台には、移動式墜落防止治具を吊り上げ、はい山に載置するための吊り込み金具が取り付けられていることを特徴とする請求項３記載の移動式墜落防止治具。
【請求項５】
前記治具土台が、Ｈ形鋼であることを特徴とする請求項１または２記載の移動式墜落防止治具。
【請求項６】
前記治具土台には、移動式墜落防止治具を吊り上げ、はい山に載置するための吊り用切り込みがあることを特徴とする請求項５記載の移動式墜落防止治具。
【請求項７】
前記治具土台が長手方向に多数のボルト穴を有する山留用鋼材であり、前記親綱支柱が前記ボルト穴の一部に固定されていることを特徴とする請求項１または２記載の移動式墜落防止治具。
【発明の詳細な説明】
【技術分野】
【０００１】
本発明は、長尺の鋼材を仮置きするために山積みにしたはい山上で作業をする際の、転落および墜落を防止するための移動式墜落防止治具に関するものである。
【背景技術】
【０００２】
一般に、構造物の工事現場などで高所作業を行なう際には、作業者の転落および墜落事故を防止するために、安全帯の常時使用が義務付けられている。安全帯は作業者が腰部に装着し、安全帯のロープの先にある係止フックを構造物等に係止することによって、作業者と構造物を繋いで、転落事故を防止している。
【０００３】
一方、現場で使用する長尺の鋼材を仮置きするために鋼材を山積みにしたはい山上で作業をする際は、高所作業であるにもかかわらず、鋼材の在庫量が変化することにより、はい山が変化してしまうため、安全帯の装着など転落・墜落事故に対する安全対策を図ることが難しい状態であった。
【０００４】
従来例として、図１４で示すように、頭上からワイヤーを吊るし、作業者の腰部と繋ぐことによって、はい山上部からの墜落を防止する場合がある。
【０００５】
その他、墜落防止装置に関する先行技術文献として、例えば特許文献１〜４記載の発明がある。
【先行技術文献】
【特許文献】
【０００６】
【特許文献１】特開２００４−０９７５６２号公報
【特許文献２】特開平０６−３４３７１０号公報
【特許文献３】特開２００７−０６１１６６号公報
【特許文献４】特許第２７１２０１３号
【発明の概要】
【発明が解決しようとする課題】
【０００７】
図１４に示した従来例や特許文献１、３の場合、はい山２０上で作業をする際に安全帯を装着するためには、頭上から吊るされたワイヤー３１の位置を考慮して、はい山２０を配置しなければならない。また、作業者３０は頭上からのワイヤー３１を腰部に繋いで、吊るされる状態となるので、安定感が悪くて動きにくく、作業範囲も限られたものであった。
【０００８】
特許文献２の場合、親綱支柱をはい山に固定するベース部の接合が簡易過ぎて、外れてしまう可能性も考えられるため、安全に対する信頼性が十分でない。
【０００９】
特許文献４は、Ｈ形鋼の上部フランジを上から挟み込むように装着した装置に安全帯を繋いで使用する装置であり、安全帯のロープが作業者の足元と腰部との間に掛け渡されるため、Ｈ形鋼上で作業がやりづらく、作業範囲が狭くなる可能性がある。
【００１０】
本発明では、従来技術における上述のような課題の解決を図ったものであり、長尺の鋼材を仮置きするために山積みにしたはい山上で作業をする際の、転落および墜落災害を防止するために、作業員の安全帯を繋ぐ移動式墜落防止治具を提供することを目的としている。
【課題を解決するための手段】
【００１１】
請求項１に係る発明は、長尺の鋼材を仮置きするために山積みにしたはい山上で作業をする際の転落および墜落災害を防止するために作業員の安全帯を繋ぐ移動式墜落防止治具であって、はい山に積んである鋼材と同種の鋼材からなる治具土台と、前記治具土台の両端部に設けた親綱支柱と、前記親綱支柱間に前記治具土台と平行に掛け渡した親綱鋼材とからなり、前記鋼材を積み上げるタイミングで同時に前記鋼材を積み上げる手段と同様の手段で移動させることができ、前記親綱鋼材に、はい山上で作業する作業者の安全帯を繋ぎ、はい山上で移動しながら作業をすることができるようにしたことを特徴とするものである。
【００１２】
移動式墜落防止治具の治具土台を、はい山上に積んである鋼材と同種の鋼材にすることで、はい山を構成する鋼材をクレーン等で搬送し、積み上げるタイミングで同時に同様の手段で移動させることができる。同種の鋼材とは、例えば断面形状が同じ、あるいはほぼ同じ鋼材などであるが、材質を含め全く同じものであってもよい。安定性を確保するためには、少なくともはい山の鋼材と同様の重量物であることが必要である。
【００１３】
仮置きする鋼材の量は日々変化するが、同じ断面形状の鋼材であれば、積みおろしもスムーズに行える。治具土台が重量物であることによって、安定した状態を保つことができる。
【００１４】
治具土台の長手方向の両端部に、親綱支柱を治具土台から鉛直方向に設け、親綱支柱間には、治具土台と平行になるように、親綱代わりになる親綱鋼材を掛け渡す。親綱鋼材を設けることによって、作業者の腰部の安全帯を親綱鋼材に繋いで、墜落防止を図ることができる。
【００１５】
親綱鋼材は治具土台と同程度の長さとすることができるため、広範囲に亘って作業をすることが可能となる。
【００１６】
請求項２に係る発明は、請求項１記載の移動式墜落防止治具において、前記治具土台に、はい山に積んである鋼材に固定するための固定金具が設けてあることを特徴とするものである。
【００１７】
はい山に積んである鋼材自体重量物であるため、はい山上部に移動式墜落防止治具をそのまま載せるだけではなく、移動式墜落防止治具に固定金具を設け、はい山に積んである鋼材に固定することで、より高い安定性を保つことができる。
【００１８】
請求項３に係る発明は、請求項１または２記載の移動式墜落防止治具において、前記治具土台が、Ｕ型鋼矢板であり、前記Ｕ型鋼矢板を複数重ねて一体化してなることを特徴とするものである。
【００１９】
Ｕ型鋼矢板を複数重ねて溶接し、治具土台として使用すれば、はい山上部に治具土台を嵌合して積み重ねることができる。また、Ｕ型鋼矢板を複数重ねて、治具土台の重量を増すことで、移動式墜落防止治具の安定性も高まる。
【００２０】
請求項４に係る発明は、請求項３記載の移動式墜落防止治具において、前記治具土台には、移動式墜落防止治具を吊り上げ、はい山に載置するための吊り込み金具が取り付けられていることを特徴とするものである。
【００２１】
移動式墜落防止治具は、長尺の鋼材を用いるため重量であり、クレーン等を使って吊り込む、あるいは移動させるため、その際に吊るための吊り込み金具を治具土台に溶接などで取り付けておくとよい。
【００２２】
吊り込み金具を取り付ける場所は、移動式墜落防止治具自体が安全に吊るすことができる位置であればどこでもよいが、はい山上を移動して作業する上で邪魔にならない位置が好ましい。形状は、フック状など吊りワイヤーが外れない形状が好ましい。
【００２３】
請求項５に係る発明は、請求項１または２記載の移動式墜落防止治具において、前記治具土台が、Ｈ形鋼であることを特徴とするものである。
【００２４】
Ｈ形鋼を積んだはい山に、移動式墜落防止治具を用いる場合、はい山を形成している鋼材と同じ断面形状であるＨ形鋼を使用すれば、幅や高さが揃い作業がしやすく、扱いやすい。
【００２５】
請求項６に係る発明は、請求項５記載の移動式墜落防止治具において、前記治具土台には、移動式墜落防止治具を吊り上げ、はい山に載置するための吊り用切り込みがあることを特徴とするものである。
【００２６】
治具土台にＵ型鋼矢板を使用する時と同様に、Ｈ形鋼を治具土台にする時も重量物であるため、クレーン等を使用して搬送する時に用いる吊り用切り込みを設ける。
【００２７】
Ｈ形鋼の場合は、上部フランジに吊り用切り込みを設ける方が、吊り込み金具を溶接するよりも容易であり、切り込みにすることによって、ワイヤーでもクランプでも引っ掛けることができ、利便性が高い。吊り用切り込みは、吊り込み金具と同様に移動式墜落防止治具自体が安全に吊るすことができる位置であればどこでもよく、形状もワイヤー等が外れない形状であればよい。
【００２８】
請求項７に係る発明は、請求項１または２記載の移動式墜落防止治具において、前記治具土台が、長手方向に多数のボルト穴を有する山留用鋼材であり、前記親綱支柱が前記ボルト穴の一部に固定されていることを特徴とするものである。
【００２９】
はい山の鋼材が山留用鋼材である場合、親綱支柱の取付け・取外しが可能な構成にすれば、治具土台である山留用鋼材の長手方向に多数に空いているボルト穴を有効活用して、親綱支柱の位置を調整することができる。
【発明の効果】
【００３０】
本発明は以上のような構成となるため、以下のような効果が得られる。
【００３１】
（１）はい山の鋼材と治具土台が同じ断面形状の鋼材であるため、鋼材を積む時と同じタイミングや同じ手段で積むことができ、はい山の鋼材量の変化にも対応でき、扱いやすい。
【００３２】
（２）治具土台には長尺の鋼材を使用するため、重量物であり、安定している。Ｕ型鋼矢板等を複数重ねて一体化したものを治具土台に用いれば、複数重ねたことによる重量の増加と、はい山上部に治具土台を嵌合することができることによる安定性を高め、安全性を向上することができる。
【００３３】
（３）親綱鋼材を、長尺の鋼材と同程度の長さとすることができ、作業範囲を鋼材の長手方向に広範囲で確保することができる。
【００３４】
（４）山留用鋼材を積み重ねたはい山の場合、親綱支柱を取付け・取り外しが可能な構成にすれば、鋼材の長手方向に親綱支柱の位置を移動することができ、利便性に優れる。
【図面の簡単な説明】
【００３５】
【図１】本発明に係る移動式墜落防止治具において、治具土台としてＵ型鋼矢板を用いた場合の斜視図である。
【図２】図１の実施形態における拡大断面図である。
【図３】図１の実施形態における平面図である。
【図４】図１の実施形態における立面図である。
【図５】本発明に係る移動式墜落防止治具において、治具土台としてＨ形鋼を用いた場合の拡大断面図である。
【図６】図５の実施形態における平面図である。
【図７】図５の実施形態における立面図である。
【図８】図５の実施形態の移動式墜落防止治具において、Ｈ形鋼を積み重ねたはい山上に移動式墜落防止治具を載置した時の断面図である。
【図９】本発明に係る移動式墜落防止治具において、治具土台として山留用鋼材を用いた場合の親綱支柱の詳細図で、（ａ）と（ｂ）は立面図、（ｃ）は平面図である。
【図１０】図９の実施形態における平面図である。
【図１１】図９の実施形態における立面図である。
【図１２】図９の実施形態の移動式墜落防止治具において、山留用鋼材を積み重ねたはい山上に移動式墜落防止治具を載置した時の断面図である。
【図１３】本発明に係る移動式墜落防止治具において、固定金具の固定フックの例を示したもので、（ａ）は側面図、（ｂ）は正面図である。
【図１４】本発明に係る移動式墜落防止治具の従来例を示した概要図である。
【発明を実施するための形態】
【００３６】
以下、本発明の実施の形態について、詳細に説明する。なお、本発明は、以下に説明する実施形態に限定されるものではない。
【実施例】
【００３７】
図１〜４は、それぞれ、移動式墜落防止治具１の治具土台２としてＵ型鋼矢板２１を用いた場合の斜視図、拡大断面図、平面図、立面図である。
【００３８】
図１は、Ｕ型鋼矢板２１を積み重ねたはい山上部２０に移動式墜落防止治具１を載置した様子を示している。
【００３９】
治具土台２は、Ｕ型鋼矢板２１を複数枚（この例では３枚）重ねて溶接したものを使用している。はい山に積み重ねてあるＵ型鋼矢板２１と同様の断面形状の鋼材で治具土台を設けると、はい山上部２０に治具土台２が嵌合し、さらに複数枚重ねていることで重量も増加し、より安定した治具土台２を構成することができる。
【００４０】
治具土台２の両端部には、鉛直方向に親綱支柱３を溶接して設け、親綱支柱３の間に治具土台２と平行な親綱鋼材４を掛け渡している。この親綱鋼材４に作業者の安全帯を繋いで作業をするため、はい山上部に作業者が立った時に親綱鋼材４が腰部あたりの高さになるように親綱支柱３の高さを設計すると、更に作業しやすくなる。
【００４１】
Ｕ型鋼矢板２１の場合、はい山上部と治具土台２が嵌合しているが、より安全性を得るために、固定金具５を治具土台２に４か所設けた。図２に示したように、固定金具５を設けるために、治具土台２に固定用プレート５ａを溶接し、固定用プレート５ａには穴をあけ、チェーン５ｃを通す。
【００４２】
通したチェーン５ｃの片端には、チェーン５ｃが固定用プレート５ａから抜けないようにするために固定用丸鋼５ｂを備える。例えば、固定用丸鋼５ｂの先端をチェーン５ｃの丸穴部に差し込んでおいたり、チェーン５ｃを長く設けておき、親綱鋼材４へ巻き付けておいたりすればよい。チェーン５ｃの他方には、固定用フック５ｄを設け、はい山２０に積み重なっているＵ型鋼矢板２１に引っ掛ける（図１参照）。
【００４３】
本発明の固定金具５の実施例として、上述のような構成を例に挙げたが、移動式墜落防止治具１をはい山２０に固定することができ、横転等が起こらないような安全な構成の固定金具５であれば、形状等は問わない。
【００４４】
クレーン等でＵ型鋼矢板２１を運搬する際、移動式墜落防止治具１に玉掛けワイヤーを引っ掛けるための吊り込み金具６を、治具土台２の凹部中央のあたりに４個溶接して設けた。今回は丸みのあるフック状の吊り込み金具６を示したが、Ｌ字型など安全に運搬ができる形状であれば、どんな形状でもよい。
【００４５】
図５〜図８は、それぞれ、移動式墜落防止治具１の治具土台２としてＨ形鋼２２を用いた場合の拡大断面図、平面図、立面図、断面図である。
【００４６】
治具土台２の長手方向両端部に、上部のフランジから鉛直方向に親綱支柱３を２箇所溶接して設け、親綱支柱３の間には親綱鋼材４を設置する。
【００４７】
治具土台２にＵ型鋼矢板２１を用いた場合と同様に、はい山上部に作業者が立った時に親綱鋼材４が腰部あたりの高さになるように親綱支柱３の高さを設計すると作業がしやすくなる。また、親綱鋼材４は、治具土台２と同程度の長さがあり、その分作業範囲が確保される。
【００４８】
一方、下部のフランジの下には、固定用プレート５ａを設けてあり、その固定用プレート５ａに下から上へチェーン５ｃを通している。チェーン５ｃの片端部には固定用丸鋼５ｂを設け、他方の片端部には固定用フック５ｄを設けた。
【００４９】
図７に示したように、固定用プレート５ａはチェーン５ｃを通して、Ｈ形鋼２２を積み重ねたはい山２０上部に載置しても安定するために、下向きの溝型としているが、安定を保つことができる形状であれば形状は問わない。
【００５０】
図６に示したように、治具土台２の中央部に吊り用切り込み７を作成し、運搬時に吊って運ぶための切り込みを用意した。吊り用切り込み７は、Ｌ字型の形状のものを４か所に設けてある例を示しているが、移動式墜落防止治具１を運ぶ際に安全を保つことのできる形状、位置および個数であればよい。治具土台２の上部フランジに切り込みを入れて、吊り用切り込み７を設けたが、Ｕ型鋼矢板２１の時と同様に、吊り込み金具６を溶接して設けても構わない。
【００５１】
図８は、Ｈ形鋼２２を積み重ねたはい山２０上に移動式墜落防止治具１を載置した時の断面図を示しており、固定金具５を使用した移動式墜落防止治具１の固定方法の例を示したものである。
【００５２】
まず、固定用プレート５ａに通してあるチェーン５ｃの片端に取り付けてある固定用フック５ｄをはい山２０上部のフランジに引っ掛ける。固定用プレート５ａに通してあるチェーン５ｃの他端には固定用丸鋼５ｂを設けており、固定用フック５ｄが緩んだり外れたりしないために、チェーン５ｃの長さを調節し、固定用丸鋼５ｂでチェーン５ｃが抜けないように留めることができる。
【００５３】
固定金具５に固定用フック５ｄを設けることで、移動式墜落防止治具自体の安定感を増すことができる。
【００５４】
固定用フック５ｄの形状の例を図１３に示しているが、はい山をなしている鋼材の形状等を把握し、はい山の一部と係合できる形状であれば何でもよい。
【００５５】
図９〜１２は、本発明に係る移動式墜落防止治具１において、治具土台２として山留用鋼材２３を用いた場合を示したものである。
【００５６】
山留用鋼材２３は、上部フランジにボルト穴が多数空いているので、そのボルト穴を利用し、取付け・取外しが可能な親綱支柱３を用いると、親綱鋼材４の位置を容易に変えることができ、非常に便利である。
【００５７】
例えば、図９に示したような親綱支柱３の形状が考えられる。山留用鋼材２３の上部フランジに嵌合するために、治具土台用金具２ａをコの字型にした。治具土台用金具２ａには山留用鋼材２３のボルト穴と合わせて留めるボルト穴２ｂを設けた。親綱支柱３を治具土台用金具２ａの鉛直方向に溶接し、親綱支柱３の先端に親綱鋼材４を通す親綱止め金具３ａを設ける。親綱支柱３の下方には、固定金具５を設けるための固定用プレート５ａを設けた。
【００５８】
本実施形態では固定金具５として、図１０に示したように、固定用プレート５ａにチェーン５ｃを貫通させ、チェーン５ｃの両端にはそれぞれ固定用丸鋼５ｂと図１３に示したような形状の固定用フック５ｄを設けた。
【００５９】
図１２からもわかるように、親綱支柱３が係合している端部とは逆側の山留用鋼材２３の上部フランジに片端の固定用フック５ｄを掛け、チェーン５ｃが緩んで固定用フック５ｄが外れてしまわないようにチェーン５ｃを張り、固定用丸鋼５ｂをチェーン５ｃの穴に入れて留めておき、移動式墜落防止治具１を安定させる。
【００６０】
このように親綱支柱３の治具土台用金具２ａと固定金具５の固定用フック５ｄで、はい山上部を挟み込むことで、移動式墜落防止治具１のぐらつきを防止している。
【産業上の利用可能性】
【００６１】
以上に述べたように、本発明は長尺の鋼材を積み重ねたはい山上で作業する作業者の安全を守り、はい山上部からの墜落・転落を防止することができる移動式墜落防止治具であり、はい山の変化に対応させることができる。
【符号の説明】
【００６２】
１…移動式墜落防止治具、
２…治具土台、２ａ…治具土台用金具、２ｂ…ボルト穴
３…親綱支柱、３ａ…親綱止め金具
４…親綱鋼材、
５…固定金具、５ａ…固定用プレート、５ｂ…固定用丸鋼、５ｃ…チェーン、
５ｄ…固定用フック、
６…吊り込み金具、
７…吊り用切り込み
２０…はい山、
２１…Ｕ型鋼矢板、
２２…Ｈ形鋼、
２３…山留用鋼材、
３０…作業者、
３１…ワイヤー
【図１】
0005448878.tif 000002
【図２】
0005448878.tif 000003
【図３】
0005448878.tif 000004
【図４】
0005448878.tif 000005
【図５】
0005448878.tif 000006
【図６】
0005448878.tif 000007
【図７】
0005448878.tif 000008
【図８】
0005448878.tif 000009
【図９】
0005448878.tif 000010
【図１０】
0005448878.tif 000011
【図１１】
0005448878.tif 000012
【図１２】
0005448878.tif 000013
【図１３】
0005448878.tif 000014
【図１４】
0005448878.tif 000015